(57)【要約】【課題】  表示品位に優れた液晶表示装置を提供する。【解決手段】  液晶表示装置は、液晶表示パネルと、照明装置と、を備える。液晶表示パネルの各々の画素ＰＸは、第１開口領域Ａ１を有する第１色の第１副画素と、第２開口領域Ａ２を有する第２色の第２副画素と、第３開口領域Ａ３を有する第３色の第３副画素と、を有する。照明装置は、第１側縁ＧＳ１を有する導光体と、上記第１側縁に対向配置された第１光源ＬＵ１と、を有する。第１開口領域Ａ１、第２開口領域Ａ２、及び第３開口領域Ａ３のうち少なくとも１つの開口領域は、第１光源ＬＵ１に対する近接度に応じて異なる面積を有する。【選択図】  図７
2020112659.tif 000002
【特許請求の範囲】
【請求項１】
表示領域に配置された複数の画素を具備する液晶表示パネルであって、各々の前記画素は、第１開口領域を有する第１色の第１副画素と、第２開口領域を有する第２色の第２副画素と、第３開口領域を有する第３色の第３副画素と、を有する、前記液晶表示パネルと、
第１側縁を有し前記複数の画素と対向した導光体と、前記第１側縁に対向配置された第１光源と、を有する照明装置と、を備え、
前記第１開口領域、前記第２開口領域、及び前記第３開口領域のうち少なくとも１つの開口領域は、前記第１光源に対する近接度に応じて異なる面積を有する、
液晶表示装置。
【請求項２】
前記液晶表示パネルは、
それぞれ前記第１開口領域に位置する複数の第１色層と、
それぞれ前記第２開口領域に位置する複数の第２色層と、
それぞれ前記第３開口領域に位置する複数の第３色層と、
前記第１開口領域、前記第２開口領域、及び前記第３開口領域を区画する遮光層と、を有する、
請求項１に記載の液晶表示装置。
【請求項３】
前記第１色は赤色であり、
前記第２色は緑色であり、
前記第３色は青色であり、
前記第１側縁側の端の前記画素において、前記第１開口領域は第１標準面積を有し、前記第２開口領域は第２標準面積を有し、前記第３開口領域は第３標準面積を有し、
前記第１光源に対して遠くに位置する前記画素ほど、前記第１開口領域の面積は前記第１標準面積より小さく、前記第２開口領域の面積は前記第２標準面積より小さい、
請求項１に記載の液晶表示装置。
【請求項４】
前記複数の画素において、各々の前記第３開口領域は、いずれも第３標準面積を有する、
請求項３に記載の液晶表示装置。
【請求項５】
前記照明装置は、前記導光体と前記液晶表示パネルとの間に位置した光学シートをさらに有し、
前記導光体の厚みは、前記第１側縁にて最も厚く、前記第１光源から遠ざかるほど小さく、
前記光学シートは、前記第１側縁と前記第１光源とが対向する方向に並べられているとともに前記第１側縁に沿った方向に延びた複数の凸部を有し、
前記複数の凸部は、前記第１光源から遠ざかるほど密に並べられている、
請求項３に記載の液晶表示装置。
【請求項６】
前記第１光源に対して遠くに位置する前記画素ほど前記第３開口領域の面積は前記第３標準面積より大きい、
請求項３に記載の液晶表示装置。
【請求項７】
前記照明装置は、前記導光体の前記第１側縁とは反対側の第２側縁に対向配置された第２光源をさらに有し、
前記第１色は赤色であり、
前記第２色は緑色であり、
前記第３色は青色であり、
前記第１側縁及び前記第２側縁の中間に位置する前記画素において、前記第１開口領域は第１標準面積を有し、前記第２開口領域は第２標準面積を有し、前記第３開口領域は第３標準面積を有し、
前記中間の位置に対して、前記第１側縁側に位置する前記画素ほど、
前記第１開口領域の面積は前記第１標準面積より小さく、かつ
前記第２開口領域の面積は前記第２標準面積より小さく、
前記中間の位置に対して、前記第２側縁側に位置する前記画素ほど、
前記第１開口領域の面積は前記第１標準面積より小さく、かつ
前記第２開口領域の面積は前記第２標準面積より小さい、
請求項１に記載の液晶表示装置。
【請求項８】
前記複数の画素において、各々の前記第３開口領域は、いずれも第３標準面積を有する、
請求項７に記載の液晶表示装置。
【請求項９】
前記導光体の厚みは、
前記中間の位置にて最も大きく、
前記中間の位置に対して、前記第１側縁に近づくほど小さく、前記第２側縁に近づくほど小さい、
請求項７又は８に記載の液晶表示装置。
【請求項１０】
前記第１色は赤色であり、
前記第２色は緑色であり、
前記第３色は青色であり、
前記第１光源に対して最も遠くに位置する端の前記画素において、前記第１開口領域は第１標準面積を有し、前記第２開口領域は第２標準面積を有し、前記第３開口領域は第３標準面積を有し、
前記第１光源の近くに位置する前記画素ほど前記第３開口領域の面積は前記第３標準面積より小さい、
請求項１に記載の液晶表示装置。
【請求項１１】
前記複数の画素において、
各々の前記第１開口領域は、いずれも第１標準面積を有し、
各々の前記第２開口領域は、いずれも第２標準面積を有する、
請求項１０に記載の液晶表示装置。
【請求項１２】
前記第１光源は、白色より青色の成分の多い色度を持つ光を前記第１側縁に向けて照射する、
請求項１０又は１１に記載の液晶表示装置。
【請求項１３】
前記第１光源の近くに位置する前記画素ほど、前記第１開口領域の面積は前記第１標準面積より大きく、前記第２開口領域の面積は前記第２標準面積より大きい、
請求項１０に記載の液晶表示装置。
【請求項１４】
前記照明装置は、前記導光体の前記第１側縁とは反対側の第２側縁に対向配置された第２光源をさらに有し、
前記第１色は赤色であり、
前記第２色は緑色であり、
前記第３色は青色であり、
前記第１側縁側の端の前記画素、及び前記第１光源に対して最も遠くに位置する端の前記画素の各々において、前記第１開口領域は第１標準面積を有し、前記第２開口領域は第２標準面積を有し、前記第３開口領域は第３標準面積を有し、
前記第１側縁の位置に対して、前記第１側縁及び前記第２側縁の中間に位置する前記画素ほど前記第３開口領域の面積は前記第３標準面積より小さく、
前記第２側縁の位置に対して、前記中間に位置する前記画素ほど前記第３開口領域の面積は前記第３標準面積より小さい、
請求項１に記載の液晶表示装置。
【請求項１５】
前記複数の画素において、
各々の前記第１開口領域は、いずれも第１標準面積を有し、
各々の前記第２開口領域は、いずれも第２標準面積を有する、
請求項１４に記載の液晶表示装置。
【請求項１６】
前記導光体の厚みは、
前記中間の位置にて最も大きく、
前記中間の位置に対して、前記第１側縁に近づくほど小さく、前記第２側縁に近づくほど小さい、
請求項１４又は１５に記載の液晶表示装置。
【請求項１７】
前記導光体は、前記第１側縁とは反対側の第２側縁と、前記第１側縁及び前記第２側縁につながる第３側縁と、前記第１側縁及び前記第２側縁につながり前記第３側縁とは反対側の第４側縁と、をさらに有し、
前記第１光源は、前記第１色の光を放出する第１発光素子と、前記第２色の光を放出する第２発光素子と、前記第３色の光を放出する第３発光素子と、を有し、
前記第１光源の前記第１発光素子、前記第２発光素子、及び前記第３発光素子は、前記第１側縁に沿って並べられ、
前記第３側縁及び前記第４側縁の中間かつ前記第１側縁側に位置する端の前記画素、又は前記第３側縁及び前記第４側縁の中間かつ前記第２側縁側に位置する端の前記画素において、前記第１開口領域は第１標準面積を有し、前記第２開口領域は第２標準面積を有し、前記第３開口領域は第３標準面積を有し、
前記第１側縁側かつ前記第３側縁側に位置する角の前記画素において、前記第１光源のうち前記第３側縁側に位置する端の発光素子が放出する光の色と同一の色の副画素の開口領域の面積は、対応する標準面積より小さく、
前記第１側縁側かつ前記第４側縁側に位置する角の前記画素において、前記第１光源のうち前記第４側縁側に位置する端の発光素子が放出する光の色と同一の色の副画素の開口領域の面積は、対応する標準面積より小さい、
請求項１に記載の液晶表示装置。
【請求項１８】
前記第３側縁側に位置する端の前記複数の画素において、前記第１光源のうち前記第３側縁側に位置する端の発光素子が放出する光の色と同一の色の副画素の開口領域の面積は、対応する標準面積より小さく、
前記第４側縁側に位置する端の前記複数の画素において、前記第１光源のうち前記第４側縁側に位置する端の発光素子が放出する光の色と同一の色の副画素の開口領域の面積は、対応する標準面積より小さい、
請求項１７に記載の液晶表示装置。
【請求項１９】
前記第１色は赤色であり、
前記第２色は緑色であり、
前記第３色は青色である、
請求項１７に記載の液晶表示装置。
【請求項２０】
前記第３側縁側に位置する端の前記複数の画素において、前記第１光源のうち前記第３側縁側に位置する端の発光素子が放出する光の色と同一の色の複数の副画素の開口領域の面積は、前記第１側縁側ほど前記対応する標準面積より小さく、
前記第４側縁側に位置する端の前記複数の画素において、前記第１光源のうち前記第４側縁側に位置する端の発光素子が放出する光の色と同一の色の複数の副画素の開口領域の面積は、前記第１側縁側ほど前記対応する標準面積より小さい、
請求項１７に記載の液晶表示装置。
【請求項２１】
前記導光体は、前記第１側縁とは反対側の第２側縁と、前記第１側縁及び前記第２側縁につながる第３側縁と、前記第１側縁及び前記第２側縁につながり前記第３側縁とは反対側の第４側縁と、をさらに有し、
前記照明装置は、前記第２側縁に対向配置された第２光源をさらに有し、
前記第１光源及び前記第２光源は、それぞれ、前記第１色の光を放出する第１発光素子と、前記第２色の光を放出する第２発光素子と、前記第３色の光を放出する第３発光素子と、を有し、
前記第１光源の前記第１発光素子、前記第２発光素子、及び前記第３発光素子は、前記第１側縁に沿って並べられ、
前記第２光源の前記第１発光素子、前記第２発光素子、及び前記第３発光素子は、前記第２側縁に沿って並べられ、
前記第１光源のうち前記第３側縁側に位置する端の発光素子が放出する光の色と、前記第２光源のうち前記第３側縁側に位置する端の発光素子が放出する光の色とは、同一であり、
前記第１光源のうち前記第４側縁側に位置する端の発光素子が放出する光の色と、前記第２光源のうち前記第４側縁側に位置する端の発光素子が放出する光の色とは、同一であり、
前記第３側縁及び前記第４側縁の中間かつ前記第１側縁及び前記第２側縁の中間に位置する前記画素、又は前記第３側縁及び前記第４側縁の中間かつ前記第１側縁側に位置する端の前記画素と前記第３側縁及び前記第４側縁の中間かつ前記第２側縁側に位置する端の前記画素とにおいて、前記第１開口領域は第１標準面積を有し、前記第２開口領域は第２標準面積を有し、前記第３開口領域は第３標準面積を有し、
前記第１側縁側かつ前記第３側縁側に位置する角の前記画素において、前記第１光源のうち前記第３側縁側に位置する端の発光素子が放出する光の色と同一の色の副画素の開口領域の面積は、対応する標準面積より小さく、
前記第１側縁側かつ前記第４側縁側に位置する角の前記画素において、前記第１光源のうち前記第４側縁側に位置する端の発光素子が放出する光の色と同一の色の副画素の開口領域の面積は、対応する標準面積より小さく、
前記第２側縁側かつ前記第３側縁側に位置する角の前記画素において、前記第２光源のうち前記第３側縁側に位置する端の発光素子が放出する光の色と同一の色の副画素の開口領域の面積は、対応する標準面積より小さく、
前記第２側縁側かつ前記第４側縁側に位置する角の前記画素において、前記第２光源のうち前記第４側縁側に位置する端の発光素子が放出する光の色と同一の色の副画素の開口領域の面積は、対応する標準面積より小さい、
請求項１に記載の液晶表示装置。
【発明の詳細な説明】
【技術分野】
【０００１】
本発明の実施形態は、液晶表示装置に関する。
【背景技術】
【０００２】
表示装置として、液晶表示装置が知られている。例えば、液晶表示装置は、液晶表示パネルと、液晶表示パネルを照明する照明装置と、を備えている。照明装置は、導光体及び光源を有している。導光体の性質として、波長分散特性が知られている。波長分散特性とは、光（波長）の透過率が波長域によって異なると言う特性である。波長分散特性は、例えば可視光波長域において示すことが分かっている。
【０００３】
導光体の一側縁に向けて白色光を照射する光源を利用しても、照明装置は、液晶表示パネルの全域を同一の色度を有する白色光で照明することは困難である。なぜなら、導光体を通る光路長が長くなるほど、照明装置が出射する光の色度は、白色光から変化するためである。
【先行技術文献】
【特許文献】
【０００４】
【特許文献１】国際公開第２０１０／０６１８７２号
【発明の概要】
【発明が解決しようとする課題】
【０００５】
本実施形態は、表示品位に優れた液晶表示装置を提供する。
【課題を解決するための手段】
【０００６】
一実施形態に係る液晶表示装置は、
表示領域に配置された複数の画素を具備する液晶表示パネルであって、各々の前記画素は、第１開口領域を有する第１色の第１副画素と、第２開口領域を有する第２色の第２副画素と、第３開口領域を有する第３色の第３副画素と、を有する、前記液晶表示パネルと、第１側縁を有し前記複数の画素と対向した導光体と、前記第１側縁に対向配置された第１光源と、を有する照明装置と、を備え、前記第１開口領域、前記第２開口領域、及び前記第３開口領域のうち少なくとも１つの開口領域は、前記第１光源に対する近接度に応じて異なる面積を有する。
【図面の簡単な説明】
【０００７】
【図１】図１は、第１の実施形態に係る液晶表示装置の構成を示す斜視図である。
【図２】図２は、上記液晶表示装置を示す断面図である。
【図３】図３は、図１に示した液晶表示パネル及び駆動部を示す回路図であり、一副画素の回路構成を併せて示す図である。
【図４】図４は、上記液晶表示パネルの２個の画素を示す平面図であり、遮光層及びカラーフィルタの構成を示す図である。
【図５】図５は、上記液晶表示パネルを図４の線Ｖ−Ｖに沿って示す断面図である。
【図６】図６は、図１及び図２の照明装置を示す平面図である。
【図７】図７は、上記第１の実施形態の複数の画素の複数の開口領域、遮光層、及び第１光源を示す平面図である。
【図８】図８は、上記第１の実施形態の変形例１に係る液晶表示装置を示す断面図である。
【図９】図９は、上記第１の実施形態の変形例２に係る液晶表示装置を示す断面図である。
【図１０】図１０は、上記変形例２に係る液晶表示装置において、導光体における導光長に対する第１輝度、第２輝度、及び光透過率のそれぞれの変化をグラフで示す図である。
【図１１】図１１は、上記第１の実施形態の変形例３に係る液晶表示装置の複数の画素の複数の開口領域、遮光層、及び第１光源を示す平面図である。
【図１２】図１２は、上記第１の実施形態の変形例４に係る液晶表示装置を示す断面図である。
【図１３】図１３は、上記変形例４の複数の画素の複数の開口領域、遮光層、第１光源、及び第２光源を示す平面図である。
【図１４】図１４は、上記第１の実施形態の変形例５に係る液晶表示装置を示す断面図である。
【図１５】図１５は、第２の実施形態に係る液晶表示装置の複数の画素の複数の開口領域、遮光層、及び第１光源を示す平面図である。
【図１６】図１６は、上記第２の実施形態の変形例２に係る液晶表示装置の複数の画素の複数の開口領域、遮光層、及び第１光源を示す平面図である。
【図１７】図１７は、上記第２の実施形態の変形例３に係る液晶表示装置の複数の画素の複数の開口領域、遮光層、第１光源、及び第２光源を示す平面図である。
【図１８】図１８は、第３の実施形態に係る液晶表示装置の照明装置を示す平面図である。
【図１９】図１９は、上記第３の実施形態の複数の画素の複数の開口領域、遮光層、第１光源、及び第２光源を示す平面図である。
【図２０】図２０は、上記第３の実施形態の変形例１に係る液晶表示装置の複数の画素の複数の開口領域、遮光層、第１光源、及び第２光源を示す平面図である。
【図２１】図２１は、上記第３の実施形態の変形例３に係る液晶表示装置の照明装置を示す平面図である。
【図２２】図２２は、上記第３の実施形態の上記変形例３の複数の画素の複数の開口領域、遮光層、第１光源、及び第２光源を示す平面図である。
【図２３】図２３は、上記第３の実施形態の変形例４に係る液晶表示装置の照明装置を示す平面図である。
【図２４】図２４は、上記第３の実施形態の上記変形例４の複数の画素の複数の開口領域、遮光層、及び第１光源を示す平面図である。
【発明を実施するための形態】
【０００８】
以下に、本発明の各実施の形態及び各変形例について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（第１の実施形態）
まず、第１の実施形態に係る液晶表示装置ＤＳＰについて説明する。図１は、第１の実施形態に係る液晶表示装置ＤＳＰの構成を示す斜視図である。ここでは、第１方向Ｘ及び第２方向Ｙは、互いに直交しているが、９０°以外の角度で交差していてもよい。第３方向Ｚは、第１方向Ｘ及び第２方向Ｙのそれぞれと互いに直交している。  
図１に示すように、液晶表示装置ＤＳＰは、アクティブマトリクス型の液晶表示パネルＰＮＬ、液晶表示パネルＰＮＬを駆動する駆動部１、液晶表示パネルＰＮＬを照明する照明装置ＩＬ、配線基板２などを備えている。
【００１０】
液晶表示パネルＰＮＬは、平板状のアレイ基板ＡＲと、平板状の対向基板ＣＴと、を備えている。本実施形態において、アレイ基板ＡＲは第１基板として機能し、対向基板ＣＴは第２基板として機能している。液晶表示パネルＰＮＬは、画像を表示する表示領域ＤＡ、及び表示領域ＤＡ以外の非表示領域ＮＤＡを備えている。液晶表示パネルＰＮＬは、表示領域ＤＡの中で第１方向Ｘ及び第２方向Ｙにマトリクス状に配列された複数の画素ＰＸを備えている。
【００１１】
照明装置ＩＬは、アレイ基板ＡＲの背面に配置されている。本実施形態において、照明装置ＩＬは、バックライトユニットとして機能している。  
駆動部１は、アレイ基板ＡＲ上に実装されている。配線基板２は、液晶表示パネルＰＮＬ連結され固定されている。
【００１２】
図２は、上記液晶表示装置ＤＳＰを示す断面図である。  
図２に示すように、対向基板ＣＴは、アレイ基板ＡＲに所定の隙間を置いて対向配置されている。液晶表示パネルＰＮＬは、さらに、シール材ＳＥ、液晶層ＬＣ，第１光学素子ＯＤ１、及び第２光学素子ＯＤ２を備えている。シール材ＳＥは、非表示領域ＮＤＡに配置され、アレイ基板ＡＲと対向基板ＣＴとを接合している。液晶層ＬＣは、アレイ基板ＡＲと対向基板ＣＴとの間に保持され、アレイ基板ＡＲ、対向基板ＣＴ及びシール材ＳＥで囲まれた空間に形成されている。
【００１３】
第１光学素子ＯＤ１は、アレイ基板ＡＲの液晶層ＬＣに接する面の反対側に配置されている。第２光学素子ＯＤ２は、対向基板ＣＴの液晶層ＬＣに接する面の反対側に配置されている。第１光学素子ＯＤ１及び第２光学素子ＯＤ２は、それぞれ少なくとも偏光板を含んでおり、必要に応じて位相差板を含んでいてもよい。第１光学素子ＯＤ１に含まれる偏光板の吸収軸は、例えば、第２光学素子ＯＤ２に含まれる偏光板の吸収軸と直交している。
【００１４】
照明装置ＩＬは、導光体ＬＧと、第１光源ＬＵ１と、光学シートＳＨと、を備えている。導光体ＬＧは、第１光学素子ＯＤ１と対向し、導光板を含んでいる。導光体ＬＧは、全域にわたって均一の厚みＴを有している。導光体ＬＧは、非表示領域ＮＤＡにて第１側縁ＧＳ１を有し、表示領域ＤＡにて図１に示した複数の画素ＰＸと対向している。第１光源ＬＵ１は、導光体ＬＧの第１側縁ＧＳ１に対向配置されている。第１光源ＬＵ１は、白色の光を第１側縁ＧＳ１に向けて照射するように構成されている。
【００１５】
光学シートＳＨは、導光体ＬＧと液晶表示パネルＰＮＬとの間に位置している。光学シートＳＨは、複数の凸部ＰＲを有している。複数の凸部ＰＲは、第１側縁ＧＳ１と第１光源ＬＵ１とが対向する方向（ここでは、第１方向Ｘ）に並べられ、上記第１側縁に沿った方向（ここでは、第２方向Ｙ）に延びている。本実施形態において、複数の凸部ＰＲは、等ピッチで第１方向Ｘに並べられている、本実施形態において、光学シートＳＨは、プリズムシートであり、液晶表示パネルＰＮＬに向けて出射する光の平行度を高める機能を有している。
【００１６】
なお、照明装置ＩＬは、導光体ＬＧ及び第１光源ＬＵ１を少なくとも備えていればよい。そのため、照明装置ＩＬは、光学シートＳＨ無しに構成されていてもよい。又は、照明装置ＩＬは、光反射板をさらに備えていてもよい。その場合、導光体ＬＧは、上記光反射板と液晶表示パネルＰＮＬとの間に位置している。
【００１７】
図３は、図１に示した液晶表示パネルＰＮＬ及び駆動部１を示す回路図であり、一副画素ＳＰの回路構成を併せて示す図である。なお、ここでは、液晶表示パネルＰＮＬ及び駆動部１の回路図の一例を示すものであり、液晶表示パネルＰＮＬ及び駆動部１の回路図は図３に示す回路図に限定されるものではない。
【００１８】
図３に示すように、液晶表示パネルＰＮＬは、表示領域ＤＡにおいて、複数の画素ＰＸと、複数本の走査線Ｇと、複数本の信号線Ｓと、共通電極ＣＥと、を備えている。複数の画素ＰＸは、マトリクス状に配置されている。各々の画素ＰＸは、第１色の第１副画素ＳＰ１と、第２色の第２副画素ＳＰ２と、第３色の第３副画素ＳＰ３と、を有している。副画素ＳＰに注目した場合、第１副画素ＳＰ１、第２副画素ＳＰ２、及び第３副画素ＳＰ３は、第１方向Ｘに交互に並べられている。なお、第１色、第２色、及び第３色が、互いに異なる色であることは言うまでもない。本実施形態において、上記第１色は赤色であり、上記第２色は緑色であり、上記第３色は青色である。
【００１９】
表示領域ＤＡにおいて、走査線Ｇの各々は第１方向Ｘに延出し、信号線Ｓの各々は第２方向Ｙに延出している。非表示領域ＮＤＡにおいて、液晶表示パネルＰＮＬは、第１ドライバＤＲ１、第２ドライバＤＲ２、及び第３ドライバＤＲ３を有している。本実施形態において、第１ドライバＤＲ１及び第２ドライバＤＲ２は、第１方向Ｘに表示領域ＤＡを挟み、それぞれ走査線駆動回路として機能している。第３ドライバＤＲ３は、選択回路として機能している。
【００２０】
走査線Ｇの各々は、非表示領域ＮＤＡに延出し、第１ドライバＤＲ１及び第２ドライバＤＲ２に接続されている。但し、液晶表示パネルＰＮＬは、第１ドライバＤＲ１及び第２ドライバＤＲ２の両方を備えていなくともよく、少なくとも第１ドライバＤＲ１及び第２ドライバＤＲ２の一方を備えていればよい。信号線Ｓの各々は、非表示領域ＮＤＡに延出し、第３ドライバＤＲ３に接続されている。共通電極ＣＥは、複数の画素ＰＸで共用されている。
【００２１】
第１ドライバＤＲ１は、配線ＷＬ１を介して駆動部１に電気的に接続されている。第２ドライバＤＲ２は、配線ＷＬ２を介して駆動部１に電気的に接続されている。第３ドライバＤＲ３は、配線ＷＬ３を介して駆動部１に電気的に接続されている。共通電極ＣＥは、配線ＷＬ４を介して駆動部１内の共通電極駆動回路に接続されている。駆動部１は、配線ＷＬ５を介して液晶表示パネルＰＮＬのアウタリードボンディング（Outer Lead Bonding）のパッド群（ＯＬＢパッド群）ＰＧに電気的に接続されている。なお、図１に示した上記配線基板２は、ＯＬＢパッド群ＰＧに電気的に接続されている。駆動部１には、配線基板２を介して各種の信号や電圧が与えられる。
【００２２】
なお、本実施形態と異なり、上記共通電極駆動回路は、駆動部１から独立して非表示領域ＮＤＡに位置し、配線を介して駆動部１に電気的に接続されていてもよい。又は、第３ドライバＤＲ３は、駆動部１から独立することなく、駆動部１内に組み込まれていてもよい。
【００２３】
各副画素ＳＰは、スイッチング素子ＳＷ、画素電極ＰＥ、共通電極ＣＥ、液晶層ＬＣなどを備えている。スイッチング素子ＳＷは、例えば薄膜トランジスタ（ＴＦＴ）によって構成され、走査線Ｇ及び信号線Ｓと電気的に接続されている。画素電極ＰＥは、スイッチング素子ＳＷと電気的に接続されている。各副画素ＳＰの画素電極ＰＥは、それぞれ共通電極ＣＥと対向している。液晶層ＬＣは、画素電極ＰＥと共通電極ＣＥとの間に生じる電界によって駆動される。画素電極ＰＥには、保持容量ＣＳが結合されている。保持容量ＣＳは、例えば、共通電極ＣＥと同電位の電極と、画素電極ＰＥと同電位の電極と、の間に形成されている。
【００２４】
ここでは副画素ＳＰの詳細な構成についての説明を省略するが、副画素ＳＰは、上記アレイ基板ＡＲの主面の法線に沿った縦電界を利用する表示モード、アレイ基板ＡＲの主面に対して斜め方向に傾斜した斜め電界を利用する表示モード、アレイ基板ＡＲの主面に沿った横電界を利用する表示モード、さらには、上記の縦電界、横電界、及び斜め電界を適宜組み合わせて利用する表示モードのいずれも適用可能である。ここで言うアレイ基板ＡＲの主面とは、第１方向Ｘ及び第２方向Ｙで規定されるＸ−Ｙ平面と平行な面である。
【００２５】
複数の画素ＰＸは、第１方向Ｘ及び第２方向Ｙに配置されている。言い換えると、第１副画素ＳＰ１に接続された複数本の信号線Ｓは第１方向Ｘに並べられ、複数本の走査線Ｇは第２方向Ｙに並べられている。  
本実施形態において、副画素ＳＰに注目した場合、複数の副画素ＳＰは、第１方向Ｘに並べられている。言い換えると、全ての信号線Ｓは第１方向Ｘに並べられている。
【００２６】
図４は、液晶表示パネルＰＮＬの２個の画素ＰＸを示す平面図であり、遮光層ＢＭ及びカラーフィルタの構成を示す図である。図４には、図３に示した複数の画素ＰＸのうち、第２方向Ｙに隣り合う２個の画素ＰＸを示している。  
図４に示すように、第１副画素ＳＰ１は第１開口領域Ａ１を有し、第２副画素ＳＰ２は第２開口領域Ａ２を有し、第３副画素ＳＰ３は第３開口領域Ａ３を有している。液晶表示パネルＰＮＬは、遮光層ＢＭ及びカラーフィルタを備えている。本実施形態において、遮光層ＢＭ及びカラーフィルタは、上記対向基板ＣＴを構成している。
【００２７】
遮光層ＢＭは、第１方向Ｘ及び第２方向Ｙに格子状に形成されている。遮光層ＢＭは、第１開口領域Ａ１、第２開口領域Ａ２、及び第３開口領域Ａ３を区画するように構成されている。そのため、遮光層ＢＭは、各々の開口領域Ａの面積を調整可能である。遮光層ＢＭは、複数の遮光部ＢＭ１及び複数の遮光部ＢＭ２を有している。
【００２８】
複数の遮光部ＢＭ１は、第１方向Ｘに延出し、第２方向Ｙに間隔を置いて並んでいる。例えば、各遮光部ＢＭ１は、図３に示した１本の走査線Ｇと対向している。その他、遮光部ＢＭ１は、例えば、図３に示したスイッチング素子ＳＷの少なくとも一部と対向している。この実施形態において、遮光部ＢＭ１の形状は走査線の形状に対応付けられ、遮光部ＢＭ１は、帯状に形成され、第１方向Ｘに直線的に延出している。遮光部ＢＭ１は、第２方向Ｙにて幅Ｗ１を有している。
【００２９】
複数の遮光部ＢＭ２は、第２方向Ｙに延出し、第１方向Ｘに間隔を置いて並んでいる。各遮光部ＢＭ２は、図３に示した１本の信号線Ｓと対向している。なお、遮光部ＢＭ２は、必ずしも直線的に延出していなくてもよく、一部が屈曲していたり、第２方向Ｙから傾いていたりしてもよい。この実施形態において、遮光部ＢＭ２の形状は信号線Ｓの形状に対応付けられている。遮光部ＢＭ２は、第１方向Ｘにて幅Ｗ２を有している。遮光部ＢＭ１及び遮光部ＢＭ２は一体的に形成され、交差部を共有している。
【００３０】
上記カラーフィルタは、複数色の着色層を有している。上記カラーフィルタは、例えば３色の着色層を有している。上記カラーフィルタは、複数の第１色層ＣＬ１と、複数の第２色層ＣＬ２と、複数の第３色層ＣＬ３と、を備えている。本実施形態において、第１色層ＣＬ１は赤色層（Ｒ）であり、第２色層ＣＬ２は緑色層（Ｇ）であり、第３色層ＣＬ３は青色層（Ｂ）である。第１色層ＣＬ１、第２色層ＣＬ２、及び第３色層ＣＬ３は、隣接し、第１方向Ｘに順に並べられ、何れも第２方向Ｙに延在し、帯状に形成されている。
【００３１】
着色層同士の境界は、遮光部ＢＭ２と対向している。本実施形態において、各々の着色層は、複数の副画素ＳＰで共用されている。各々の第１色層ＣＬ１は、第２方向Ｙに並んだ複数の第１副画素ＳＰ１で共用され、少なくとも第１開口領域Ａ１に位置している。各々の第２色層ＣＬ２は、第２方向Ｙに並んだ複数の第２副画素ＳＰ２で共用され、少なくとも第２開口領域Ａ２に位置している。各々の第３色層ＣＬ３は、第２方向Ｙに並んだ複数の第３副画素ＳＰ３で共用され、少なくとも第３開口領域Ａ３に位置している。
【００３２】
図５は、液晶表示パネルＰＮＬを図４の線Ｖ−Ｖに沿って示す断面図である。なお、図５において、第１光学素子ＯＤ１及び第２光学素子ＯＤ２の図示は割愛している。  
図５に示すように、アレイ基板ＡＲは、ガラス基板や樹脂基板などの光透過性を有する第１絶縁基板１０を有している。アレイ基板ＡＲは、第１絶縁層１１、第２絶縁層１２、第３絶縁層１３、第４絶縁層１４、第５絶縁層１５、信号線Ｓ、共通電極ＣＥ、画素電極ＰＥ、第１配向膜ＡＬ１などを備えている。
【００３３】
第１絶縁層１１、第２絶縁層１２及び第３絶縁層１３は、第１絶縁基板１０の上に順に形成されている。信号線Ｓは、第３絶縁層１３の上に配置されている。第３絶縁層１３及び信号線Ｓの上に、第４絶縁層１４が設けられている。なお、第４絶縁層１４は、上記走査線Ｇ、スイッチング素子ＳＷ等の上方に位置している。
【００３４】
共通電極ＣＥは、第４絶縁層１４の上に設けられている。共通電極ＣＥは、複数の副画素ＳＰで共用されている。第５絶縁層１５は、第４絶縁層１４及び共通電極ＣＥの上に設けられている。第１絶縁層１１、第２絶縁層１２、第３絶縁層１３及び第５絶縁層１５は、例えばシリコン窒化物（ＳｉＮ）やシリコン酸化物（ＳｉＯ）などの無機絶縁材料によって形成されている。第４絶縁層１４は、例えばアクリル樹脂などの有機絶縁材料によって形成されている。
【００３５】
画素電極ＰＥは、第５絶縁層１５の上に配置され、共通電極ＣＥと対向している。画素電極ＰＥ及び共通電極ＣＥは、導電材料として、例えば、インジウム・ジンク・オキサイド（ＩＺＯ）、インジウム・ティン・オキサイド（ＩＴＯ）などの透明な導電材料によって形成されている。第１配向膜ＡＬ１は、第５絶縁層１５及び画素電極ＰＥの上に形成されている。
【００３６】
ここで、液晶表示パネルＰＮＬは、表示モードとしてＦＦＳ（Fringe Field Switching）モードに対応した構成を有している。各々の画素電極ＰＥは、第１方向Ｘにて信号線Ｓの間に位置している。また、画素電極ＰＥと共通電極ＣＥとの間に形成される電界を液晶層ＬＣに与えることができるように、画素電極ＰＥは所定の形状を有している。ここでは、各々の画素電極ＰＥは、共通電極ＣＥと対向する位置にスリットＳＬを有している。
【００３７】
一方、対向基板ＣＴは、ガラス基板や樹脂基板などの光透過性を有する第２絶縁基板２０を備えている。さらに、対向基板ＣＴは、遮光層ＢＭ、第１色層ＣＬ１、第２色層ＣＬ２、第３色層ＣＬ３、オーバーコート層ＯＣ、第２配向膜ＡＬ２などを備えている。
【００３８】
遮光部ＢＭ２（遮光層ＢＭ）は、第２絶縁基板２０のアレイ基板ＡＲと対向する側に設けられている。遮光部ＢＭ２は信号線Ｓと対向している。第１色層ＣＬ１、第２色層ＣＬ２、及び第３色層ＣＬ３は、第２絶縁基板２０とアレイ基板ＡＲとの間に位置している。第１色層ＣＬ１、第２色層ＣＬ２、及び第３色層ＣＬ３のそれぞれの端部は、遮光部ＢＭ２と重なっている。オーバーコート層ＯＣは、透明な樹脂材料によって形成され、第１色層ＣＬ１、第２色層ＣＬ２、第３色層ＣＬ３などを覆っている。第２配向膜ＡＬ２は、オーバーコート層ＯＣのアレイ基板ＡＲと対向する側に形成されている。なお、図示した例では、第１色層ＣＬ１、第２色層ＣＬ２、及び第３色層ＣＬ３は、対向基板ＣＴを構成しているが、アレイ基板ＡＲを構成していてもよい。
【００３９】
図６は、図１及び図２の照明装置ＩＬを示す平面図である。なお、図６には、照明装置ＩＬのうち、導光体ＬＧ及び第１光源ＬＵ１を示している。  
図６に示すように、導光体ＬＧは、第１側縁ＧＳ１だけではなく、上記第１側縁とは反対側の第２側縁ＧＳ２と、上記第１側縁及び上記第２側縁につながる第３側縁ＧＳ３と、上記第１側縁及び上記第２側縁につながり上記第３側縁とは反対側の第４側縁ＧＳ４と、をさらに有している。
【００４０】
導光体ＬＧに重なる領域には、複数の画素ＰＸのうち９個の画素を例示している。（１）画素ＣＯ１は、第１側縁ＧＳ１側かつ第３側縁ＧＳ３側に位置する角の画素である。（２）画素Ｅ１は、第３側縁ＧＳ３及び第４側縁ＧＳ４の中間かつ第１側縁ＧＳ１側に位置する端の画素である。（３）画素ＣＯ２は、第１側縁ＧＳ１側かつ第４側縁ＧＳ４側に位置する角の画素である。（４）画素ＣＯ３は、第２側縁ＧＳ２側かつ第３側縁ＧＳ３側に位置する角の画素である。（５）画素Ｅ２は、第３側縁ＧＳ３及び第４側縁ＧＳ４の中間かつ第２側縁ＧＳ２側に位置する端の画素である。（６）画素ＣＯ４は、第２側縁ＧＳ２側かつ第４側縁ＧＳ４側に位置する角の画素である。（７）画素Ｅ３は、第１側縁ＧＳ１及び第２側縁ＧＳ２の中間かつ第３側縁ＧＳ３側に位置する端の画素である。（８）画素ＣＮは、第１側縁ＧＳ１及び第２側縁ＧＳ２の中間かつ第３側縁ＧＳ３及び第４側縁ＧＳ４の中間に位置する中央の画素である。（９）画素Ｅ４は、第１側縁ＧＳ１及び第２側縁ＧＳ２の中間かつ第４側縁ＧＳ４側に位置する端の画素である。
【００４１】
第１光源ＬＵ１は、白色の光を放出する複数の発光素子ＬＳを有している。本実施形態において、発光素子ＬＳはＬＥＤ（発光ダイオード）で形成されている。複数の発光素子ＬＳは、第１側縁ＧＳ１に沿って並べられている。そのため、導光体ＬＧには第１側縁ＧＳ１側から光が入射される。なお、本実施形態と異なり、第１光源ＬＵ１は、第２側縁ＧＳ２、第３側縁ＧＳ３、又は第４側縁ＧＳ４に沿って並べられていてもよい。また、図６には、６個の発光素子ＬＳを有する第１光源ＬＵ１を示したが、発光素子ＬＳの個数は５個以下、又は７個以上であってもよい。発光素子ＬＳの個数は、第１光源ＬＵ１と対向する側縁ＧＳのサイズ（例えば、長さ）に対応付けて調整されていればよい。
【００４２】
ここで、導光体の波長分散特性について説明する。  
導光体は、ポリメチルメタクリレート（ＰＭＭＡ）、ポリカーボネート（ＰＣ）などの材料で形成されている。一般に知られている導光体は、例えば可視光波長域において波長分散特性を示すことが分かっている。第１光源ＬＵ１が導光体ＬＧの第１側縁ＧＳ１に向けて白色の光を照射しても、照明装置ＩＬは、液晶表示パネルＰＮＬの全域を同一の色度を有する白色光で照明することは困難である。なぜなら、導光体ＬＧを通る光路長が長くなるほど、照明装置ＩＬが出射する光の色度は、白色光から変化するためである。
【００４３】
波長分散特性に関しては、例えば、国際公開第２０１０／０６１８７２号パンフレットの図５に開示されている。概ね４００ｎｍ以上の波長域にて、光の透過率は、８０％以上と高く、実質的に一定であることが分かる。しかしながら、４００ｎｍ未満の波長域にて、光の透過率は、８０％未満となる場合があることが分かる。そのため、可視光領域において、短波長側の光の透過率が落ちる傾向があることが分かる。
【００４４】
本明細書では、一例として、３８０ｎｍ乃至７８０ｎｍの波長範囲の光を「可視光」として定義する。そして、青色の波長域を３８０ｎｍ以上４９０ｎｍ未満、緑色の波長域を４９０ｎｍ以上５９０ｎｍ未満、赤色の波長域を５９０ｎｍ以上７８０ｎｍ以下、と定義する。
【００４５】
上記のことから、照明装置ＩＬは、第１光源ＬＵ１に対して遠くに位置する画素ＰＸほど、短波長側の光、特に青色の成分の少ない色度を持つ光で照明することとなり、照明装置ＩＬの光出射面の全域にて光の色度を均一化することが困難となる。このため、表示画像の色度に悪影響が生じ、表示品位に優れた液晶表示装置ＤＳＰを得ることが困難となる。
【００４６】
そこで、本実施形態では、導光体ＬＧによる波長分散特性を液晶表示パネルＰＮＬにて補償するものである。次に、上記波長分散特性を補償する手段について説明する。図７は、複数の画素ＰＸの複数の開口領域Ａ、遮光層ＢＭ、及び第１光源ＬＵ１を示す平面図である。
【００４７】
図７に示すように、遮光層ＢＭは、遮光部ＢＭ１及び遮光部ＢＭ２に加え、遮光層ＢＭの外周縁をなす枠状の遮光部ＢＭ３を有している。図中、遮光層ＢＭにはドットパターンを付している。各々の画素ＰＸは、第１開口領域Ａ１、第２開口領域Ａ２、及び第３開口領域Ａ３の３種類の開口領域Ａを有している。図中、第１開口領域Ａ１には右上がりの斜線を付し、第２開口領域Ａ２には右下がりの斜線を付し、第３開口領域Ａ３には横ストライプパターンを付している。第１開口領域Ａ１、第２開口領域Ａ２、及び第３開口領域Ａ３の各開口領域Ａの色は、図４で示したものと同様に、第１開口領域Ａ１は赤色、第２開口領域Ａ２は緑色、第３開口領域Ａ３は青色であり、これは以降の実施形態の説明でも同様である。
【００４８】
複数の画素ＰＸにおいて、複数の第１開口領域Ａ１、複数の第２開口領域Ａ２、及び複数の第３開口領域Ａ３のうち少なくとも１種類の複数の開口領域Ａは、第１光源ＬＵ１に対する近接度に応じて異なる面積を有している。
【００４９】
本実施形態において、第１側縁ＧＳ１側の端の画素ＣＯ１，Ｅ１，ＣＯ２において、第１開口領域Ａ１は第１標準面積を有し、第２開口領域Ａ２は第２標準面積を有し、第３開口領域Ａ２は第３標準面積を有している。第１光源ＬＵ１に対して遠くに位置する画素Ｅ３，ＣＮ，Ｅ４，ＣＯ３，Ｅ２，ＣＯ４ほど第１開口領域Ａ１の面積は上記第１標準面積より小さく、第２開口領域Ａ２の面積は上記第２標準面積より小さい。これに対して、複数の画素ＰＸにおいて、各々の第３開口領域Ａ３はいずれも第３標準面積を有している。
【００５０】
第１開口領域Ａ１及び第２開口領域Ａ２のそれぞれの面積の調整は、上記遮光部ＢＭ２の幅Ｗ２を変えることで調整可能である。なお、各列の複数の画素ＰＸ（第２方向Ｙに並んだ複数の画素ＰＸ）に注目した場合、第１開口領域Ａ１の面積は一定であり、第２開口領域Ａ２の面積は一定であり、第３開口領域Ａ３の面積は一定である。
【００５１】
上記のように構成された第１の実施形態に係る液晶表示装置ＤＳＰによれば、導光体ＬＧは、赤色の波長域の光の吸収量及び緑色の波長域の光の吸収量のそれぞれより、青色の波長域の光の吸収量が多い。第１開口領域Ａ１の面積、第２開口領域Ａ２の面積、及び第３開口領域Ａ３の面積は、第１光源ＬＵ１側を基準に設定されている。第１光源ＬＵ１から遠ざかるにつれ、第１開口領域Ａ１の面積、及び第２開口領域Ａ２の面積をそれぞれ徐々に小さくしている。
【００５２】
本実施形態では、副画素ＳＰは、第１方向Ｘにて等ピッチで並べられ、一方で第２方向Ｙにて等ピッチで並べられている。そのため、第１光源ＬＵ１から遠ざかるにつれ、第１副画素ＳＰ１の開口率、及び第２副画素ＳＰ２の開口率をそれぞれ徐々に低くしている。
【００５３】
これにより、液晶表示装置ＤＳＰが白色画像を全面に表示しても、表示領域ＤＡの全体にて良好な白色画像を表示することができる。言い換えると、表示領域ＤＡの全体にて、白色光の色度の均一化を図ることができる。そのため、上述した波長分散特性を液晶表示パネルＰＮＬにて補償することができる。しかも、液晶表示パネルＰＮＬの駆動は、通常の白色表示のための駆動で対応可能である。そのため、上記補償は、液晶表示パネルＰＮＬの駆動を調整すること無しに達成することができる。  
上記のことから、表示品位に優れた液晶表示装置ＤＳＰを得ることができる。
【００５４】
（第１の実施形態の変形例１）
次に、上記第１の実施形態の変形例１に係る液晶表示装置ＤＳＰについて説明する。図８は、上記第１の実施形態の変形例１に係る液晶表示装置ＤＳＰを示す断面図である。  
図８に示すように、本変形例１の液晶表示装置ＤＳＰは、導光体ＬＧ形状が上記第１の実施形態と異なっている。本変形例１の導光体ＬＧはくさび導光体である。導光体ＬＧの厚みＴは、第１側縁ＧＳ１にて最も厚く、第１光源ＬＵ１から遠ざかるほど小さい。
【００５５】
上記のように、本変形例１では、厚みＴは光の導光方向に徐々に減少している。導光体ＬＧにおける光出射率や光利用効率を向上することができ、照明装置ＩＬが出射する光の輝度レベルを上げることができる。そして、第２側縁ＧＳ２側ほど、照明装置ＩＬが出射する光の輝度レベルの向上に寄与することができる。
【００５６】
（第１の実施形態の変形例２）
次に、上記第１の実施形態の変形例２に係る液晶表示装置ＤＳＰについて説明する。図９は、上記第１の実施形態の変形例２に係る液晶表示装置ＤＳＰを示す断面図である。  
図９に示すように、本変形例２の液晶表示装置ＤＳＰは、導光体ＬＧ及び光学シートＳＨの構成が上記第１の実施形態と異なっている。導光体ＬＧは、上記変形例１と同様くさび導光体である。光学シートＳＨにおいて、複数の凸部ＰＲは、第１光源ＬＵ１から遠ざかるほど密に並べられている。言い換えると、第１側縁ＧＳ１側より第２側縁ＧＳ２側の方が、凸部ＰＲの間隔は狭い。
【００５７】
図１０は、本変形例２に係る液晶表示装置ＤＳＰにおいて、導光体ＬＧにおける導光長に対する第１輝度、第２輝度、及び光透過率のそれぞれの変化をグラフで示す図である。なお、導光長は、第１側縁ＧＳ１から第２側縁ＧＳ２に向かう距離に相当している。上記第１輝度は、照明装置ＩＬが出射する光の輝度レベルを示している。上記第２輝度は、液晶表示装置ＤＳＰが表示する画像の輝度レベルを示している。上記光透過率は、液晶表示パネルＰＮＬの画素ＰＸの光透過率（画素ＰＸの開口領域の面積）を示している。ここでは、光透過率が最も高い画素ＰＸにおいて、第１開口領域Ａ１は第１標準面積を有し、第２開口領域Ａ２は第２標準面積を有し、第３開口領域Ａ３は第３標準面積を有している。また、本変形例２において、上記光透過率を、画素ＰＸの開口率として言い換えることが可能である。
【００５８】
図１０に示すように、上記光透過率は、第１光源ＬＵ１から遠ざかるほど、画素ＰＸの光透過率が低下することが分かる。そこで、本変形例２では、複数の凸部ＰＲを、第１光源ＬＵ１から遠ざかるほど密に並べている。第２側縁ＧＳ２側ほど、導光体ＬＧにおける光出射率や光利用効率を向上することができ、照明装置ＩＬが出射する光の輝度レベルを高くすることができる。そのため、第１輝度のレベルを、第１光源ＬＵ１から遠ざかるほど高くすることができる。
【００５９】
照明装置ＩＬが出射する光に輝度分布を持たせ、液晶表示パネルＰＮＬを透過した光の輝度レベルを表示領域ＤＡの全体にて、均一にすることができる。そのため、上記第２輝度のレベルを、表示領域ＤＡの全体にて、均一にすることができる。上述したことから、第１開口領域Ａ１の面積、及び第２開口領域Ａ２の面積を変えることに起因した表示画像の輝度レベルの低下を、照明装置ＩＬで補償することができる。
【００６０】
（第１の実施形態の変形例３）
次に、上記第１の実施形態の変形例３に係る液晶表示装置ＤＳＰについて説明する。図１１は、本変形例３に係る液晶表示装置ＤＳＰの複数の画素ＰＸの複数の開口領域Ａ、遮光層ＢＭ、及び第１光源ＬＵ１を示す平面図である。  
図１１に示すように、本変形例３の液晶表示装置ＤＳＰにおいて、第３開口領域Ａ３は第３標準面積より大きい面積を有していてもよい。第１側縁ＧＳ１側の端の画素ＣＯ１，Ｅ１，ＣＯ２において、第３開口領域Ａ３は第３標準面積を有している。第１光源ＬＵ１に対して遠くに位置する画素Ｅ３，ＣＮ，Ｅ４，ＣＯ３，Ｅ２，ＣＯ４ほど、第３開口領域Ａ３の面積は上記第３標準面積より大きい。
【００６１】
画素ＰＸの単位に注目した場合、複数の画素ＰＸは、第１方向Ｘにて等ピッチで配置されている。しかしながら、副画素ＳＰの単位に注目した場合、複数の副画素ＳＰは第１方向Ｘにて等ピッチで配置されていない。言い換えると、複数本の信号線Ｓは第１方向Ｘにて等ピッチで並べられていない。
【００６２】
上記のように構成された本変形例３の液晶表示装置ＤＳＰによれば、第１光源ＬＵ１に対して遠くに位置する画素Ｅ３，ＣＮ，Ｅ４，ＣＯ３，Ｅ２，ＣＯ４ほど、第３開口領域Ａ３の面積を上記第３標準面積より徐々に大きくしている。第１開口領域Ａ１、第２開口領域Ａ２、及び第３開口領域Ａ３の合計の面積を、全画素ＰＸで同一にすることができる。第１光源ＬＵ１から遠ざかっても、画素ＰＸの光透過率の低下を防止することができる。そのため、上記変形例２のような照明装置ＩＬを使用しなくとも、液晶表示装置ＤＳＰが表示する画像の輝度レベルを、表示領域ＤＡの全体にて、均一にすることができる。
【００６３】
（第１の実施形態の変形例４）
次に、上記第１の実施形態の変形例４に係る液晶表示装置ＤＳＰについて説明する。図１２は、本変形例４に係る液晶表示装置を示す断面図である。図１３は、本変形例４の複数の画素ＰＸの複数の開口領域Ａ、遮光層ＢＭ、第１光源ＬＵ１、及び第２光源ＬＵ２を示す平面図である。  
図１２に示すように、照明装置ＩＬは、第２光源ＬＵ２をさらに有している。第２光源ＬＵ２は、第２側縁ＧＳ２に対向配置されている。なお、導光体ＬＧは、全域にわたって均一の厚みＴを有している。
【００６４】
図１３に示すように、第２光源ＬＵ１は、白色の光を放出する複数の発光素子ＬＳを有している。第２光源ＬＵ１の複数の発光素子ＬＳは、第２側縁ＧＳ２に沿って並べられている。そのため、導光体ＬＧには第２側縁ＧＳ２側から光が入射される。  
第１側縁ＧＳ１及び第２側縁ＧＳ２の中間に位置する画素Ｅ３，ＣＮ，Ｅ４において、第１開口領域Ａ１は第１標準面積を有し、第２開口領域Ａ２は第２標準面積を有し、第３開口領域Ａ３は第３標準面積を有している。
【００６５】
上記中間の位置に対して、第１側縁ＧＳ１側に位置する画素ＣＯ１，Ｅ１，ＣＯ２ほど、第１開口領域Ａ１の面積は上記第１標準面積より小さく、第２開口領域Ａ２の面積は上記第２標準面積より小さい。同様に、上記中間の位置に対して、第２側縁ＧＳ２側に位置する画素ＣＯ３，Ｅ２，ＣＯ４ほど、第１開口領域Ａ１の面積は上記第１標準面積より小さく、第２開口領域Ａ２の面積は上記第２標準面積より小さい。複数の画素ＰＸにおいて、各々の第３開口領域Ａ３はいずれも第３標準面積を有している。
【００６６】
上記のように構成された本変形例４の液晶表示装置ＤＳＰによれば、導光体ＬＧには第１側縁ＧＳ１側及び第２側縁ＧＳ２側の両方から光が入射される。そこで、第１側縁ＧＳ１及び第２側縁ＧＳ２の中間に位置する画素Ｅ３，ＣＮ，Ｅ４を基準にして、第１側縁ＧＳ１及び第２側縁ＧＳ２に向かうほど第１開口領域Ａ１及び第２開口領域Ａ２のそれぞれの面積を小さくしている。
【００６７】
これにより、液晶表示装置ＤＳＰが白色画像を全面に表示しても、表示領域ＤＡの全体にて、白色光の色度の均一化を図ることができる。例えば、画素ＣＯ１，Ｅ１，ＣＯ２，ＣＯ３，Ｅ２，ＣＯ４のそれぞれの白色光の色度を、各々の画素Ｅ３，ＣＮ，Ｅ４の白色光の色度に合わせることができる。そのため、本変形例４においても、表示品位に優れた液晶表示装置ＤＳＰを得ることができる。
【００６８】
（第１の実施形態の変形例５）
次に、上記第１の実施形態の変形例５に係る液晶表示装置ＤＳＰについて説明する。図１４は、本変形例５に係る液晶表示装置を示す断面図である。  
図１４に示すように、本変形例５に係る液晶表示装置は、上記変形例４と比較し、導光体ＬＧの構成が相違している。導光体ＬＧの厚みＴは、第１側縁ＧＳ１及び第２側縁ＧＳ２の中間の位置にて最も大きい。導光体ＬＧの厚みＴは、上記中間の位置に対して、第１側縁ＧＳ１に近づくほど小さく、また第２側縁ＧＳ２に近づくほど小さい。
【００６９】
上記のように構成された本変形例５の液晶表示装置ＤＳＰによれば、導光体ＬＧには第１側縁ＧＳ１側及び第２側縁ＧＳ２側の両方から光が入射される。そのため、第１側縁ＧＳ１及び第２側縁ＧＳ２より上記中間の位置に近づくほど、照明装置ＩＬが出射する光の輝度レベルは高くなり易い。
【００７０】
そこで、本変形例５において、導光体ＬＧの厚みＴを上記中間の位置にて最も大きくなるように調整している。第１側縁ＧＳ１及び第２側縁ＧＳ２より上記中間の位置に近づくほど、導光体ＬＧにおける光出射率や光利用効率を抑制することができ、照明装置ＩＬが出射する光の輝度レベルを低くすることができる。
【００７１】
照明装置ＩＬが出射する光に輝度分布を持たせることで、液晶表示パネルＰＮＬを透過した光の輝度レベルを表示領域ＤＡの全体にて、均一にすることができる。第１開口領域Ａ１の面積、及び第２開口領域Ａ２の面積を変えることに起因した表示画像の輝度レベルのばらつきを、照明装置ＩＬで補償することができる。そのため、液晶表示装置ＤＳＰが表示する画像の輝度レベルを、表示領域ＤＡの全体にて、均一にすることができる。
【００７２】
（第２の実施形態）
次に、第２の実施形態に係る液晶表示装置ＤＳＰについて説明する。ここでは、上記第１の実施形態の液晶表示装置ＤＳＰとの相違点について説明する。図１５は、第２の実施形態に係る液晶表示装置ＤＳＰの複数の画素ＰＸの複数の開口領域Ａ、遮光層ＢＭ、及び第１光源ＬＵ１を示す平面図である。
【００７３】
図１５に示すように、第２の実施形態では、開口領域Ａの面積を変化させる手法が上記第１の実施形態と相違している。第１光源ＬＵ１に対して最も遠くに位置する端の画素ＣＯ３，Ｅ２，ＣＯ４において、第１開口領域Ａ１は第１標準面積を有し、各々の第２開口領域Ａ２は第２標準面積を有し、第３開口領域Ａ３は第３標準面積を有している。第１光源ＬＵ１の近くに位置する画素ＣＯ１，Ｅ１，ＣＯ２，Ｅ３，ＣＮ，Ｅ４ほど、第３開口領域Ａ３の面積は、上記第３標準面積より小さい。なお、複数の画素ＰＸにおいて、各々の第１開口領域Ａ１はいずれも第１標準面積を有し、各々の第２開口領域Ａ２はいずれも第２標準面積を有している。
【００７４】
上記のように構成された第２の実施形態に係る液晶表示装置ＤＳＰによれば、第１開口領域Ａ１の面積、第２開口領域Ａ２の面積、及び第３開口領域Ａ３の面積は、第２側縁ＧＳ２側を基準に設定されている。第１光源ＬＵ１に近づくにつれ、第３開口領域Ａ３の面積を徐々に小さくしている。  
本実施形態では、副画素ＳＰは、第１方向Ｘにて等ピッチで並べられ、一方で第２方向Ｙにて等ピッチで並べられている。そのため、第１光源ＬＵ１に近づくにつれ、第３副画素ＳＰ３の開口率を徐々に低くしている。
【００７５】
これにより、液晶表示装置ＤＳＰが白色画像を全面に表示しても、表示領域ＤＡの全体にて、白色光の色度の均一化を図ることができる。詳しくは、画素ＣＯ１，Ｅ１，ＣＯ２，Ｅ３，ＣＮ，Ｅ４のそれぞれの白色光の色度を、各々の画素ＣＯ３，Ｅ２，ＣＯ４の白色光の色度に合わせることができる。そのため、上述した波長分散特性を液晶表示パネルＰＮＬにて補償することができる。しかも、液晶表示パネルＰＮＬの駆動は、通常の白色表示のための駆動で対応可能である。  
上記のことから、表示品位に優れた液晶表示装置ＤＳＰを得ることができる。
【００７６】
（第２の実施形態の変形例１）
次に、上記第２の実施形態の変形例１に係る液晶表示装置ＤＳＰについて説明する。本変形例１では、第１光源ＬＵ１が照射する光の色度が上記第２の実施形態と相違している。第１光源ＬＵ１は、白色より青色の成分の多い色度を持つ光を第１側縁ＧＳ１に向けて照射するように構成されている。
【００７７】
上記のように構成された本変形例１の液晶表示装置ＤＳＰによれば、液晶表示装置ＤＳＰが表示する画像の色度が表示領域ＤＡの全体にわたって所望の色度からシフトする場合、第１光源ＬＵ１が照射する光の色度を調整してもよい。白色の光を照射する第１光源ＬＵ１を利用した場合に、液晶表示装置ＤＳＰが表示する画像の色度が全体的に黄色い場合、本実施形態のように、白色より青色の成分の多い色度を持つ光を照射する第１光源ＬＵ１を利用すればよい。これにより、例えば、液晶表示装置ＤＳＰが白色画像を全面に表示しても、表示領域ＤＡの全体にて、白色光の色度を得ることができる。
【００７８】
なお、照明装置ＩＬは、表示画像の色度が所望の色度からシフトする場合に、白色と異なる色度を持つ光を照射する第１光源ＬＵ１を利用し、表示画像の色度の不所望なシフトを補償すればよい。そのため、本変形例１と異なり、第１光源ＬＵ１が照射する光の色度は、白色より赤色の成分の多い色度となる場合があり得る。又は、第１光源ＬＵ１が照射する光の色度は、白色より緑色の成分の多い色度となる場合があり得る。
【００７９】
（第２の実施形態の変形例２）
次に、上記第２の実施形態の変形例２に係る液晶表示装置ＤＳＰについて説明する。図１６は、本変形例２に係る液晶表示装置ＤＳＰの複数の画素ＰＸの複数の開口領域Ａ、遮光層ＢＭ、及び第１光源ＬＵ１を示す平面図である。  
図１６に示すように、上記第２の実施形態と同様、端の画素ＣＯ３，Ｅ２，ＣＯ４において、第１開口領域Ａ１は第１標準面積を有し、第２開口領域Ａ２は第２標準面積を有し、第３開口領域Ａ３は第３標準面積を有している。
【００８０】
しかしながら、本変形例２の液晶表示装置ＤＳＰにおいて、第１開口領域Ａ１は第１標準面積より大きい面積を有していてもよく、第２開口領域Ａ２は第２標準面積より大きい面積を有していてもよい。本変形例２において、第１光源ＬＵ１の近くに位置する画素ＣＯ１，Ｅ１，ＣＯ２，Ｅ３，ＣＮ，Ｅ４ほど、第１開口領域Ａ１の面積は上記第１標準面積より大きく、第２開口領域Ａ２の面積は上記第２標準面積より大きい。
【００８１】
画素ＰＸの単位に注目した場合、複数の画素ＰＸは、第１方向Ｘにて等ピッチで配置されている。しかしながら、副画素ＳＰの単位に注目した場合、複数の副画素ＳＰは第１方向Ｘにて等ピッチで配置されていない。言い換えると、複数本の信号線Ｓは第１方向Ｘにて等ピッチで並べられていない。
【００８２】
上記のように構成された本変形例２の液晶表示装置ＤＳＰによれば、第１光源ＬＵ１の近くに位置する画素ＣＯ１，Ｅ１，ＣＯ２，Ｅ３，ＣＮ，Ｅ４ほど、第３開口領域Ａ３の面積を上記第３標準面積より徐々に小さくし、第１開口領域Ａ１の面積を上記第１標準面積より徐々に大きくし、第２開口領域Ａ２の面積を上記第２標準面積より徐々に大きくしている。第１開口領域Ａ１、第２開口領域Ａ２、及び第３開口領域Ａ３の合計の面積を、全画素ＰＸで同一にすることができる。そのため、液晶表示装置ＤＳＰが表示する画像の輝度レベルを、表示領域ＤＡの全体にて、均一にすることができる。
【００８３】
（第２の実施形態の変形例３）
次に、上記第２の実施形態の変形例３に係る液晶表示装置ＤＳＰについて説明する。図１７は、本変形例３に係る液晶表示装置ＤＳＰの複数の画素ＰＸの複数の開口領域Ａ、遮光層ＢＭ、第１光源ＬＵ１、及び第２光源ＬＵ２を示す平面図である。  
図１７に示すように、照明装置ＩＬは、第２光源ＩＬ２をさらに有している。第１側縁ＧＳ１側の端の画素ＣＯ１，Ｅ１，ＣＯ２、及び第２側縁ＧＳ２側の端の画素ＣＯ３，Ｅ２，ＣＯ４の各々において、第１開口領域Ａ１は第１標準面積を有し、第２開口領域Ａ２は第２標準面積を有し、第３開口領域Ａ３は第３標準面積を有している。第１側縁ＧＳ１の位置に対して、第１側縁ＧＳ１及び第２側縁ＧＳ２の中間に位置する画素Ｅ３，ＣＮ，Ｅ４ほど第３開口領域Ａ３の面積は上記第３標準面積より小さい。第２側縁ＧＳ２の位置に対して、上記中間に位置する画素Ｅ３，ＣＮ，Ｅ４ほど第３開口領域Ａ３の面積は上記第３標準面積より小さい。複数の画素ＰＸにおいて、各々の第１開口領域Ａ１はいずれも上記第１標準面積を有し、各々の第２開口領域Ａ２はいずれも上記第２標準面積を有している。
【００８４】
上記のように構成された本変形例３に係る液晶表示装置ＤＳＰによれば、第１開口領域Ａ１の面積、第２開口領域Ａ２の面積、及び第３開口領域Ａ３の面積は、端の画素ＣＯ１，Ｅ１，ＣＯ２，ＣＯ３，Ｅ２，ＣＯ４を基準に設定されている。第１側縁ＧＳ１及び第２側縁ＧＳ２の中間に位置するほど、第３開口領域Ａ３の面積を徐々に小さくしている。
【００８５】
これにより、液晶表示装置ＤＳＰが白色画像を全面に表示しても、表示領域ＤＡの全体にて、白色光の色度の均一化を図ることができる。詳しくは、端の画素ＣＯ１，Ｅ１，ＣＯ２，ＣＯ３，Ｅ２，ＣＯ４のそれぞれが呈する光の色度に、残りの画素（画素Ｅ３，ＣＮ，Ｅ４など）のそれぞれが呈する光の色度を合わせることができる。そのため、本変形例３においても、上述した波長分散特性を液晶表示パネルＰＮＬにて補償することができる。
【００８６】
（第２の実施形態の変形例４）
次に、上記第２の実施形態の変形例４に係る液晶表示装置ＤＳＰについて説明する。  
本変形例４の液晶表示装置ＤＳＰは、上記第１の実施形態の変形例５と同様の照明装置ＩＬを備えていてもよい。照明装置ＩＬ以外、本変形例４の液晶表示装置ＤＳＰは、上記第２の実施形態の変形例３と同様に構成されている。
【００８７】
（第３の実施形態）
次に、第３の実施形態に係る液晶表示装置ＤＳＰについて説明する。ここでは、上記第１の実施形態の液晶表示装置ＤＳＰとの相違点について説明する。図１８は、第３の実施形態に係る液晶表示装置ＤＳＰの照明装置ＩＬを示す平面図である。  
図１８に示すように、第３の実施形態では、第１光源ＬＵ１及び第２光源ＬＵ２は、それぞれ、第１色の光を放出する第１発光素子ＬＳ１と、第２色の光を放出する第２発光素子ＬＳ２と、第３色の光を放出する第３発光素子ＬＳ３と、を有している。第１光源ＬＵ１において、第１発光素子ＬＳ１、第２発光素子ＬＳ２、及び第３発光素子ＬＳ３は、第１側縁ＧＳ１に沿って並べられている。第２光源ＬＵ２において、第１発光素子ＬＳ１、第２発光素子ＬＳ２、及び第３発光素子ＬＳ３は、第２側縁ＧＳ２に沿って並べられている。
【００８８】
なお、図１８には、６個の発光素子ＬＳを有する光源ＬＵを示したが、発光素子ＬＳの個数は７個以上であってもよい。発光素子ＬＳの個数は、光源ＬＵと対向する側縁ＧＳのサイズ（例えば、長さ）に対応付けて調整されていればよい。第１光源ＬＵ１及び第２光源ＬＵ２により、導光体ＬＧに赤色の光、緑色の光、及び青色の光が入射されることにより、白色光を合成することができる。
【００８９】
第１光源ＬＵ１のうち第３側縁ＧＳ３側に位置する端の発光素子（第１発光素子ＬＳ１）が放出する光の色と、第２光源ＬＵ２のうち第３側縁ＧＳ３側に位置する端の発光素子（第１発光素子ＬＳ１）が放出する光の色とは、同一である。また、第１光源ＬＵ１のうち第４側縁ＧＳ４側に位置する端の発光素子（第３発光素子ＬＳ３）が放出する光の色と、第２光源ＬＵ２のうち第４側縁ＧＳ４側に位置する端の発光素子（第３発光素子ＬＳ３）が放出する光の色とは、同一である。
【００９０】
ところで、導光体ＬＧが出射する光の色度は、第１発光素子ＬＳ１、第２発光素子ＬＳ２、及び第３発光素子ＬＳ３の配置に依存している。そのため、導光体ＬＧが出射する光の色度は、面内にてムラが発生する場合がある。例えば、第３側縁ＧＳ３及び第４側縁ＧＳ４の中間に位置する画素Ｅ１，ＣＮ，Ｅ２に対して、導光体ＬＧ（照明装置ＩＬ）は白色の光で照明することができる。
【００９１】
しかしながら、第３側縁ＧＳ３側に位置する端の画素ＣＯ１、Ｅ３，ＣＯ３に対して、導光体ＬＧ（照明装置ＩＬ）は白色の光で照明することができず、白色より赤色の成分の多い光で照明することとなる。なぜなら、画素ＣＯ１、Ｅ３，ＣＯ３は、第３側縁ＧＳ３側に位置する第１発光素子ＬＳ１が放出する赤色の光の影響を最も受けるためである。
【００９２】
同様に、第４側縁ＧＳ４側に位置する端の画素ＣＯ２、Ｅ４，ＣＯ４に対して、導光体ＬＧ（照明装置ＩＬ）は白色の光で照明することができず、白色より青色の成分の多い光で照明することとなる。なぜなら、画素ＣＯ２、Ｅ４，ＣＯ４は、第４側縁ＧＳ４側に位置する第３発光素子ＬＳ３が放出する青色の光の影響を最も受けるためである。  
上記のことから、導光体ＬＧが出射する光の色度のムラを、液晶表示パネルＰＮＬで補償した方が望ましい。なお、図１８において、導光体ＬＧにはグラデーションをつけ、白色より赤色の成分が多くなる領域ほど濃くし、また、白色より青色の成分が多くなる領域ほど濃くしている。
【００９３】
次に、導光体ＬＧが出射する光の色度のムラを、液晶表示パネルＰＮＬで補償する手段について説明する。図１９は、上記第３の実施形態の複数の画素ＰＸの複数の開口領域Ａ、遮光層ＢＭ、第１光源ＬＵ１、及び第２光源ＬＵ２を示す平面図である。第３の実施形態では、液晶表示パネルＰＮＬは、上記第１の実施形態の変形例４（図１３）の液晶表示パネルＰＮＬをアレンジしている。
【００９４】
図１９に示すように、第３の実施形態において、第１副画素ＳＰ１、第２副画素ＳＰ２、及び第３副画素ＳＰ３は、第２方向Ｙに交互に並べられている。  
なお、表示領域ＤＡにおいて、上記走査線Ｇの各々は第２方向Ｙに延出し、上記信号線Ｓの各々は第１方向Ｘに延出している。複数の画素ＰＸは、第２方向Ｙにて等ピッチで配置され、かつ、第１方向Ｘにて等ピッチで配置されている。言い換えると、第１副画素ＳＰ１に接続された複数本の信号線Ｓは第２方向Ｙにて等ピッチで並べられ、複数本の走査線Ｇは第１方向Ｘにて等ピッチで並べられている。本実施形態において、副画素ＳＰに注目した場合、複数の副画素ＳＰは、第２方向Ｙにて等ピッチで並べられている。言い換えると、全ての信号線Ｓは第２方向Ｙにて等ピッチで並べられている。
【００９５】
第３側縁ＧＳ３及び第４側縁ＧＳ４の中間かつ第１側縁ＧＳ１及び第２側縁ＦＳ２の中間に位置する画素ＣＮにおいて、第１開口領域Ａ１は第１標準面積を有し、第２開口領域Ａ２は第２標準面積を有し、第３開口領域Ａ３は第３標準面積を有している。第３側縁ＧＳ３及び第４側縁ＧＳ４の中間に位置する画素Ｅ１，ＣＮ，Ｅ２に注目した場合、画素ＣＮの位置に対して、第１側縁ＧＳ１側に位置する画素Ｅ１ほど、第１開口領域Ａ１の面積は上記第１標準面積より小さく、かつ第２開口領域Ａ２の面積は上記第２標準面積より小さい。また、画素ＣＮの位置に対して、第２側縁ＧＳ２側に位置する画素Ｅ２ほど、第１開口領域Ａ１の面積は上記第１標準面積より小さく、かつ第２開口領域Ａ２の面積は上記第２標準面積より小さい。
【００９６】
角の画素ＣＯ１において、第１光源ＬＵ１のうち第３側縁ＧＳ３側に位置する端の発光素子ＬＳが放出する光の色と同一の色の副画素ＳＰの開口領域Ａの面積は、対応する標準面積より小さい。角の画素ＣＯ２において、第１光源ＬＵ１のうち第４側縁ＧＳ４側に位置する端の発光素子ＬＳが放出する光の色と同一の色の副画素ＳＰの開口領域Ａの面積は、対応する標準面積より小さい。
【００９７】
本実施形態では、第１光源ＬＵ１のうち第３側縁ＧＳ３側に位置する端の第１発光素子ＬＳ１が赤色の光を放出するため、角の画素ＣＯ１の第１開口領域Ａ１の面積は、第１標準面積より小さい。また、第１光源ＬＵ１のうち第４側縁ＧＳ４側に位置する端の第３発光素子ＬＳ３が青色の光を放出するため、角の画素ＣＯ２の第３開口領域Ａ３の面積は、第３標準面積より小さい。
【００９８】
角の画素ＣＯ３において、第２光源ＬＵ２のうち第３側縁ＧＳ３側に位置する端の発光素子ＬＳが放出する光の色と同一の色の副画素ＳＰの開口領域Ａの面積は、対応する標準面積より小さい。角の画素ＣＯ４において、第２光源ＬＵ２のうち第４側縁ＧＳ４側に位置する端の発光素子ＬＳが放出する光の色と同一の色の副画素ＳＰの開口領域Ａの面積は、対応する標準面積より小さい。
【００９９】
本実施形態では、第２光源ＬＵ２のうち第３側縁ＧＳ３側に位置する端の第１発光素子ＬＳ１が赤色の光を放出するため、角の画素ＣＯ３の第１開口領域Ａ１の面積は、第１標準面積より小さい。また、第２光源ＬＵ２のうち第４側縁ＧＳ４側に位置する端の第３発光素子ＬＳ３が青色の光を放出するため、角の画素ＣＯ４の第３開口領域Ａ３の面積は、第３標準面積より小さい。
【０１００】
上述したように、第３側縁ＧＳ３側に位置する端の画素ＣＯ１、Ｅ３，ＣＯ３に対して、白色より赤色の成分の多い光で照明することとなる。そのため、画素ＣＯ１、Ｅ３，ＣＯ３などの第３側縁ＧＳ３側に位置する端の複数の画素ＰＸの第１開口領域Ａ１の面積を、上記第１の実施形態の変形例４（図１３）と比較して変えている。同様に、第４側縁ＧＳ４側に位置する端の画素ＣＯ２、Ｅ４，ＣＯ４に対して、白色より青色の成分の多い光で照明することとなる。そのため、画素ＣＯ２、Ｅ４，ＣＯ４などの第４側縁ＧＳ４側に位置する端の複数の画素ＰＸの第３開口領域Ａ３の面積を、上記第１の実施形態の変形例４と比較して変えている。
【０１０１】
第３側縁ＧＳ３側に位置する端の複数の画素ＣＯ１，Ｅ３，ＣＯ３において、第１光源ＬＵ１のうち第３側縁ＧＳ３側に位置する端の発光素子ＬＳが放出する光の色と同一の色の副画素ＳＰの開口領域Ａの面積は、対応する標準面積より小さい。第４側縁ＧＳ４側に位置する端の複数の画素ＣＯ２、Ｅ４，ＣＯ４において、第１光源ＬＵ１のうち第４側縁ＧＳ４側に位置する端の発光素子ＬＳが放出する光の色と同一の色の副画素ＳＰの開口領域Ａの面積は、対応する標準面積より小さい。
【０１０２】
本実施形態において、第３側縁ＧＳ３側に位置する端の複数の画素ＣＯ１，Ｅ３，ＣＯ３の第１開口領域Ａ１の面積は、第１標準面積より小さく、互いに同一である。第４側縁ＧＳ４側に位置する端の複数の画素ＣＯ２、Ｅ４，ＣＯ４の第３開口領域Ａ３の面積は、第３標準面積より小さく、互いに同一である。
【０１０３】
ところで、画素ＣＯ１、Ｅ３，ＣＯ３を含む端の一行の複数の画素ＰＸだけではなく、第３側縁ＧＳ３側に位置する複数行の複数の画素ＰＸに対して、白色より赤色の成分の多い光で照明することになる場合があり得る。同様に、画素ＣＯ２、Ｅ４，ＣＯ４を含む端の一行の複数の画素ＰＸだけではなく、第４側縁ＧＳ４側に位置する複数行の複数の画素ＰＸに対して、白色より青色の成分の多い光で照明することになる場合があり得る。  
その場合、第３側縁ＧＳ３側に位置する複数行の複数の画素ＰＸの第１開口領域Ａ１の面積を、第１標準面積より小さくすればよい。また、第４側縁ＧＳ４側に位置する複数行の複数の画素ＰＸの第３開口領域Ａ３の面積を、第３標準面積より小さくすればよい。
【０１０４】
上記のように構成された第３の実施形態に係る液晶表示装置ＤＳＰによれば、第１光源ＬＵ１及び第２光源ＬＵ２は、それぞれ、赤色の光を放出する第１発光素子ＬＳ１と、緑色の光を放出する第２発光素子ＬＳ２と、青色の光を放出する第３発光素子ＬＳ３と、を有している。導光体ＬＧによる波長分散特性の影響を受けない場合であっても、導光体ＬＧが出射する光の色度は、面内にてムラが発生する。
【０１０５】
そこで、第３の実施形態では、第３側縁ＧＳ３側に位置する複数行の複数の画素ＰＸの第１開口領域Ａ１の面積を、第１標準面積より小さくしている。また、第４側縁ＧＳ４側に位置する複数行の複数の画素ＰＸの第３開口領域Ａ３の面積を、第３標準面積より小さくしている。
【０１０６】
これにより、液晶表示装置ＤＳＰが、赤色の光、緑色の光、及び青色の光で白色光を合成する照明装置ＩＬを使用し、白色画像を全面に表示しても、表示領域ＤＡの全体にて、白色光の色度の均一化を図ることができる。  
上記のことから、表示品位に優れた液晶表示装置ＤＳＰを得ることができる。
【０１０７】
（第３の実施形態の変形例１）
次に、上記第３の実施形態の変形例１に係る液晶表示装置ＤＳＰについて説明する。図２０は、上記第３の実施形態の変形例１に係る液晶表示装置ＤＳＰの複数の画素ＰＸの複数の開口領域Ａ、遮光層ＢＭ、第１光源ＬＵ１、及び第２光源ＬＵ２を示す平面図である。
【０１０８】
図２０に示すように、本変形例１の液晶表示パネルＰＮＬは、上記第３の実施形態と異なり、上記第２の実施形態の変形例３（図１７）の液晶表示パネルＰＮＬをアレンジしている。本変形例１においても、第３側縁ＧＳ３側に位置する複数行の複数の画素ＰＸの第１開口領域Ａ１の面積を、第１標準面積より小さくしている。また、第４側縁ＧＳ４側に位置する複数行の複数の画素ＰＸの第３開口領域Ａ３の面積を、第３標準面積より小さくしている。
【０１０９】
なお、本変形例１において、第３側縁ＧＳ３及び第４側縁ＧＳ４の中間かつ第１側縁ＧＳ１側に位置する端の画素Ｅ１と、第３側縁ＧＳ３及び第４側縁ＧＳ４の中間かつ第２側縁ＧＳ２側に位置する端の画素Ｅ２との両方において、第１開口領域Ａ１は第１標準面積を有し、第２開口領域Ａ２は第２標準面積を有し、第３開口領域Ａ３は第３標準面積を有している。  
上記のことから、本変形例１においても、上記第３の実施形態と同様の効果を得ることができる。
【０１１０】
（第３の実施形態の変形例２）
次に、上記第３の実施形態の変形例２に係る液晶表示装置ＤＳＰについて説明する。上記第３の実施形態及び上記第３の実施形態の変形例１と異なり、本変形例２において、照明装置ＩＬは、第１光源ＬＵ１を有し、第２光源ＬＵ２を有していなくともよい。本変形例２の液晶表示パネルＰＮＬは、上記第３の実施形態及び上記第３の実施形態の変形例１と異なり、上記第１の実施形態（図７）、上記第１の実施形態の変形例３（図１１）、上記第２の実施形態（図１５）、及び上記第２の実施形態の変形例２（図１６）などの液晶表示パネルＰＮＬをアレンジしている。
【０１１１】
本変形例２においても、第３側縁ＧＳ３側に位置する複数行の複数の画素ＰＸの第１開口領域Ａ１の面積を、第１標準面積より小さくしている。また、第４側縁ＧＳ４側に位置する複数行の複数の画素ＰＸの第３開口領域Ａ３の面積を、第３標準面積より小さくしている。
【０１１２】
なお、本変形例２において、第３側縁ＧＳ３及び第４側縁ＧＳ４の中間かつ第１側縁ＧＳ１側に位置する端の画素Ｅ１、又は第３側縁ＧＳ３及び第４側縁ＧＳ４の中間かつ第２側縁ＧＳ２側に位置する端の画素Ｅ２において、第１開口領域Ａ１は第１標準面積を有し、第２開口領域Ａ２は第２標準面積を有し、第３開口領域Ａ３は第３標準面積を有している。  
上記のことから、本変形例２においても、上記第３の実施形態と同様の効果を得ることができる。
【０１１３】
（第３の実施形態の変形例３）
次に、上記第３の実施形態の変形例３に係る液晶表示装置ＤＳＰについて説明する。図２１は、上記第３の実施形態の変形例３に係る液晶表示装置ＤＳＰの照明装置ＩＬを示す平面図である。  
図２１に示すように、照明装置ＩＬは、第３側縁ＧＳ３側に位置する端の画素ＰＸや第４側縁ＧＳ４側に位置する端の画素ＰＸであっても、画素Ｅ３、及び画素Ｅ４など、第１側縁ＧＳ１及び第２側縁ＧＳ２の中間の近傍に位置する複数の画素ＰＸを白色で照明することができる場合があり得る。
【０１１４】
次に、導光体ＬＧが出射する光の色度のムラを、液晶表示パネルＰＮＬで補償する手段について説明する。図２２は、上記第３の実施形態の変形例３の複数の画素ＰＸの複数の開口領域Ａ、遮光層ＢＭ、第１光源ＬＵ１、及び第２光源ＬＵ２を示す平面図である。上記第３の実施形態と同様、本変形例３でも、液晶表示パネルＰＮＬは、上記第１の実施形態の変形例４（図１３）の液晶表示パネルＰＮＬをアレンジしている。
【０１１５】
図２２に示すように、画素Ｅ３の第１開口領域Ａ１は、第１標準面積を有している。第３側縁ＧＳ３側の端に位置する複数の画素ＰＸ（複数行の画素ＰＸ）において、複数の第１副画素ＳＰ１の第１開口領域Ａ１の面積は、第１側縁ＧＳ１及び第２側縁ＧＳ２の中間より第１側縁ＧＳ１側に位置するほど第１標準面積より小さく、上記中間より第２側縁ＧＳ２側に位置するほど第１標準面積より小さい。  
但し、本変形例３では、上記第１の実施形態の変形例４（図１３）の液晶表示パネルＰＮＬをアレンジしなくとも、第１開口領域Ａ１の面積は、第１側縁ＧＳ１側に位置するほど第１標準面積より小さく、また、第２側縁ＧＳ２側に位置するほど第１標準面積より小さくなるよう、液晶表示パネルＰＮＬは構成されている。そのため、第３側縁ＧＳ３側の端に位置する複数の画素ＰＸ（複数行の画素ＰＸ）において、第１開口領域Ａ１の面積は、上記第１の実施形態の変形例４（図１３）からアレンジしなくともよい。
【０１１６】
又は、第３側縁ＧＳ３側の端に位置する複数の画素ＰＸ（複数行の画素ＰＸ）において、第１側縁ＧＳ１及び第２側縁ＧＳ２の中間の位置より第１側縁ＧＳ１に近づくほど第１開口領域Ａ１の面積の減少量を上記第１の実施形態の変形例４より多くし、上記中間の位置より第２側縁ＧＳ２に近づくほど第１開口領域Ａ１の面積の減少量を上記第１の実施形態の変形例４より多くしてもよい。
【０１１７】
画素Ｅ４の第３開口領域Ａ３は、第３標準面積を有している。第４側縁ＧＳ４側の端に位置する複数の画素ＰＸ（複数行の画素ＰＸ）において、複数の第３副画素ＳＰ３の第３開口領域Ａ３の面積は、第１側縁ＧＳ１及び第２側縁ＧＳ２の中間より第１側縁ＧＳ１側に位置するほど第３標準面積より小さく、上記中間より第２側縁ＧＳ２側に位置するほど第３標準面積より小さい。  
上記のことから、本変形例３においても、上記第３の実施形態と同様の効果を得ることができる。
【０１１８】
（第３の実施形態の変形例４）
次に、上記第３の実施形態の変形例４に係る液晶表示装置ＤＳＰについて説明する。図２３は、上記第３の実施形態の変形例４に係る液晶表示装置ＤＳＰの照明装置ＩＬを示す平面図である。  
図２３に示すように、照明装置ＩＬは、第１光源ＬＵ１を有し、第２光源ＬＵ２を有していない。照明装置ＩＬは、第３側縁ＧＳ３側に位置する端の画素ＰＸや第４側縁ＧＳ４側に位置する端の画素ＰＸであっても、画素ＣＯ３、及び画素ＣＯ４など、第１光源ＬＵ１に対して遠くに位置する複数の画素ＰＸを白色で照明することができる場合があり得る。
【０１１９】
次に、導光体ＬＧが出射する光の色度のムラを、液晶表示パネルＰＮＬで補償する手段について説明する。図２４は、上記第３の実施形態の変形例４の複数の画素ＰＸの複数の開口領域Ａ、遮光層ＢＭ、及び第１光源ＬＵ１を示す平面図である。本変形例４では、液晶表示パネルＰＮＬは、上記第１の実施形態（図７）の液晶表示パネルＰＮＬをアレンジしている。
【０１２０】
図２４に示すように、端の画素Ｅ１において、第１開口領域Ａ１は第１標準面積を有し、第２開口領域Ａ２は第２標準面積を有し、第３開口領域Ａ３は第３標準面積を有している。導光体ＬＧによる波長分散特性を補償するため、第１光源ＬＵ１に対して遠くに位置する画素ＰＸほど第１開口領域Ａ１の面積は上記第１標準面積より小さく、第２開口領域Ａ２の面積は上記第２標準面積より小さい。
【０１２１】
一方、導光体ＬＧが出射する光の色度のムラを補償するため、第３側縁ＧＳ３側の端に位置する複数の画素ＰＸ（複数行の画素ＰＸ）において、複数の第１副画素ＳＰ１の第１開口領域Ａ１の面積は、第２側縁ＧＳ２より第１側縁ＧＳ１側に近づくほど第１標準面積より小さくしている。  
但し、本変形例４では、第３側縁ＧＳ３側の端に位置する複数の画素ＰＸ（複数行の画素ＰＸ）において、液晶表示パネルＰＮＬは、導光体ＬＧが出射する光の色度のムラを補償し、かつ、導光体ＬＧによる波長分散特性を補償している。そのため、画素ＣＯ１、Ｅ３，ＣＯ３など、第３側縁ＧＳ３側の端に位置する複数の画素ＰＸ（複数行の画素ＰＸ）において、第１開口領域Ａ１の面積は、何れも第１標準面積より小さい。例えば、第３側縁ＧＳ３側の端に位置する複数の画素ＰＸ（複数行の画素ＰＸ）において、第１開口領域Ａ１の面積は、互いに同一であってもよい。
【０１２２】
画素Ｅ４の第３開口領域Ａ３は、第３標準面積を有している。画素ＣＯ２、Ｅ４，ＣＯ４など、第４側縁ＧＳ４側の端に位置する複数の画素ＰＸ（複数行の画素ＰＸ）において、複数の第３副画素ＳＰ３の第３開口領域Ａ３の面積は、第２側縁ＧＳ２より第１側縁ＧＳ１側に近づくほど第３標準面積より小さくしている。  
上記のことから、本変形例４においても、上記第３の実施形態と同様の効果を得ることができる。
【０１２３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。必要に応じて、複数の実施形態及び複数の変形例に記載の２以上の技術を組合せることも可能である。
【０１２４】
例えば、発光素子ＬＳは、ＬＥＤ以外の素子で形成されていてもよい。発光素子ＬＳは、光（レーザ光）を照射するレーザであってもよい。例えば、照明装置ＩＬは、第１色のレーザ光を照射するレーザ、第２色のレーザ光を照射するレーザ、及び第３色のレーザ光を照射するレーザの複数種類のレーザを有している。
【符号の説明】
【０１２５】
ＤＳＰ…液晶表示装置、ＰＮＬ…液晶表示パネル、ＬＣ…液晶層、ＡＲ…アレイ基板、
ＣＴ…対向基板、ＢＭ…遮光層、ＣＬ１，ＣＬ２，ＣＬ３…色層、
ＰＸ，ＣＯ１，ＣＯ２，ＣＯ３，ＣＯ４，Ｅ１，Ｅ２，Ｅ３，Ｅ４，ＣＮ…画素、
ＳＰ，ＳＰ１，ＳＰ２，ＳＰ３…副画素、ＩＬ…照明装置、ＬＧ…導光体、
ＧＳ１，ＧＳ２，ＧＳ３，ＧＳ４…側縁、ＳＨ…光学シート、ＰＲ…凸部、
ＬＵ１，ＬＵ２…光源、ＬＳ，ＬＳ１，ＬＳ２，ＬＳ３，ＬＳ４…発光素子、
ＤＡ…表示領域、ＮＤＡ…非表示領域、Ａ，Ａ１，Ａ２，Ａ３…開口領域。
【図１】
2020112659.tif 000003
【図２】
2020112659.tif 000004
【図３】
2020112659.tif 000005
【図４】
2020112659.tif 000006
【図５】
2020112659.tif 000007
【図６】
2020112659.tif 000008
【図７】
2020112659.tif 000009
【図８】
2020112659.tif 000010
【図９】
2020112659.tif 000011
【図１０】
2020112659.tif 000012
【図１１】
2020112659.tif 000013
【図１２】
2020112659.tif 000014
【図１３】
2020112659.tif 000015
【図１４】
2020112659.tif 000016
【図１５】
2020112659.tif 000017
【図１６】
2020112659.tif 000018
【図１７】
2020112659.tif 000019
【図１８】
2020112659.tif 000020
【図１９】
2020112659.tif 000021
【図２０】
2020112659.tif 000022
【図２１】
2020112659.tif 000023
【図２２】
2020112659.tif 000024
【図２３】
2020112659.tif 000025
【図２４】
2020112659.tif 000026